(57)【要約】【課題】複数のケーブルを同時に保持することができ、作業性も良好な自転車用ケーブルホルダー及びそれを用いた自転車用フレームを提供する。【解決手段】自転車に使用する各種ケーブル１０を着脱するためのホルダー１であって、ホルダー１が、複数のケーブル１０を保持できる横幅Ｗと横幅Ｗ以下の長さＬの凹部２Ａを持つケーブル受け２と、ケーブル受け２に対して着脱自在のキャップ３とからなる自転車用ケーブルホルダー、及び、このようなホルダー１を用いた自転車用フレーム。【選択図】　図１
2004017785.tif 000002
【特許請求の範囲】
【請求項１】
自転車に使用する各種ケーブル（１０）を着脱するためのホルダー（１）であって、ホルダー（１）が、複数のケーブル（１０）を保持できる横幅（Ｗ）と横幅（Ｗ）以下の長さ（Ｌ）の凹部（２Ａ）を持つケーブル受け（２）と、ケーブル受け（２）に対して着脱自在のキャップ（３）とからなることを特徴とする自転車用ケーブルホルダー。
【請求項２】
ケーブル受け（２）の両先端部に、外向きの傾斜面（２Ｂ）と外向きの爪（２Ｃ）が形成され、弾性を有するキャップ（３）の両側面部に、爪（２Ｃ）がはまり込む開口（３Ａ）が設けられていることを特徴とする請求項１に記載の自転車用ケーブルホルダー。
【請求項３】
キャップ（３）の中央部が、両側面部に対して凹んでいることを特徴とする請求項２に記載の自転車用ケーブルホルダー。
【請求項４】
請求項１ないし３の何れか１項に記載のホルダー（１）をフレーム（２０）に複数個備えたことを特徴とする自転車用フレーム。
【発明の詳細な説明】
【０００１】
【発明の属する技術分野】
本発明は、自転車に使用する各種ケーブルを自転車各部に配置するためのケーブルホルダー及びそれを用いた自転車用フレームに関するものである。
【０００２】
【従来の技術】
自転車には、ブレーキや変速機のワイヤー、発電機からの電線といった各種のケーブルが使用されている。そして、これらのケーブルが自転車の前後に渡って存在するときは、邪魔にならないようにフレーム沿って配置される。また、自転車の前部にはケーブルが集中することから、ケーブルの一部をハンドルバーやハンドルポストに固定することも行われている。そのため、従来からフレーム等にはケーブルホルダーが備え付けられていた。
【０００３】
このような従来のケーブルホルダーとしては、図５に示すように、ケーブルの通し小物３０をフレームに固定したものが一般的に使用されており、その輪の中にケーブルを差し込むようになっている。
【０００４】
【発明が解決しようとする課題】
しかしながら、図５に示す従来のホルダーでは、ケーブルを１本だけしか固定できず、しかも、ケーブルの差し込みは作業性が非常に悪いという問題がある。特に、電動アシスト自転車のようにケーブルが多い場合には、複数のケーブルを保持する必要があることから、ホルダーの改善が望まれていた。また、電源ケーブル等は先端にコネクター類が接続されており、図５に示すような従来のホルダーでは差し込むことができないという問題もあった。
【０００５】
そこで本発明は、複数のケーブルを同時に保持することができ、作業性も良好な自転車用ケーブルホルダー及びそれを用いた自転車用フレームを提供することを目的とするものである。
【０００６】
【課題を解決するための手段】
本発明は、以上の課題を解決するためになされたものであって、その要旨は、自転車に使用する各種ケーブルを着脱するためのホルダーであって、ホルダーが、複数のケーブルを保持できる横幅と横幅以下の長さの凹部を持つケーブル受けと、ケーブル受けに対して着脱自在のキャップとからなる自転車用ケーブルホルダーに係るものである。
【０００７】
そして好ましくは、ケーブル受けの両先端部に、外向きの傾斜面と外向きの爪が形成され、弾性を有するキャップの両側面部に、爪がはまり込む開口が設けられているものであり、より好ましくは、キャップの中央部が、両側面部に対して凹んでいる自転車用ケーブルホルダーに係るものである。また、このようなホルダーをフレームに複数個備えた自転車用フレームに係るものである。
【０００８】
【発明の実施の形態】
本発明の自転車用ケーブルホルダーは、自転車に使用する各種のケーブルをフレーム、ハンドルバー、ハンドルポスト等に着脱するためのものである。例えば、ブレーキワイヤー、変速機用のワイヤー、発電機と電球との間の電線、電動アシスト自転車における多くの電線等の各種のケーブルを、フレームに沿って着脱自在に配置する場合には、ホルダーをフレームに備え付ける。
【０００９】
特に、本発明の自転車用ケーブルホルダーは、複数のケーブルを保持できる横幅の凹部を持つケーブル受けと、ケーブル受けに対して着脱自在のキャップとからなっている。従って、凹部の内側に複数のケーブルを同時に並べたり重ねたり等して挿入し、その後キャップを被せるだけで複数のケーブルの固定が簡単にできる。なお、ワイヤーと電線とで太さが異なっていても、凹部に挿入可能であるので、全く問題はない。
【００１０】
また、ケーブル受けの凹部の長さは、凹部の横幅以下となっている。これは、ハンドルバーやハンドルポスト等に取り付けた場合に、不具合が発生しないようにするためであり、フレームに特別な加工等をすることなく、ホルダーを付けられるようにするためである。即ち、凹部が長いと、ケーブルがハンドルバーやハンドルポスト等に長く拘束されることになり、かえって自然な配線の邪魔になってしまうし、フレームを構成するパイプが曲がっている場合には溶接が難しくなってしまう。一方、溶接ではなく、押し出し加工によってホルダーをフレームと一体的に形成することも考えられるが、この場合もパイプを曲げることはできない。そのため、本発明の自転車用ケーブルホルダーでは、ケーブル受けの凹部の長さを必要十分な範囲で制限し、ケーブルの長さに対しては、ホルダーを複数個備えることで対処している。
【００１１】
次に、ホルダーのより具体的な好ましい形態について説明する。本発明の自転車用ケーブルホルダーにおいては、ホルダーを構成するケーブル受けに対し、キャップが着脱自在となっているが、ケーブル受けは、その両先端部に、外向きの傾斜面と外向きの爪を形成することが好ましい。そして、キャップを弾性を有する材料で形成し、その両側面部に、ケーブル受けの爪がはまり込む開口を設けるのである。
【００１２】
ここで、ケーブル受けに外向きの傾斜面を形成するのは、キャップのはめ込みを容易にするためである。また、ケーブル受けに外向きの爪を形成するのは、凹部の内側を有効利用するためである。即ち、本発明の自転車用ケーブルホルダーでは、並列させた複数のケーブルの間に何ら保持用の部材を必要としないため、ケーブルの本数の割に横幅が狭くて済むことを特徴としているが、傾斜面及び爪を内向きにすると、爪の突出分だけ凹部が狭まりケーブルの収容本数が少なくなってしまうからである。
【００１３】
なお、逆に、キャップの先端部に内向きの傾斜面と内向きの爪を形成し、ケーブル受けの両側面部に外側からキャップの爪がはまり込む開口を設けるようにしても同じ効果が得られる。
【００１４】
また、キャップの中央部は、両側面部に対して凹んでいることが好ましい。このようにすることによってキャップの弾性が増し、キャップの取り付け時だけでなく、取り付け後も十分な固定力が得られるようになるからである。
【００１５】
【実施例】
以下、本発明の好ましい実施の形態の具体例を図面により説明する。図１は、本発明の自転車用ケーブルホルダーを用いた自転車用フレームの第１実施例を示す部分斜視図である。即ち、図１に示す第１実施例のケーブルホルダー付き自転車用フレームは、ホルダーを構成するケーブル受け２が凹字状で、キャップ３がフレーム２０の曲面に合わせた円弧状になっている。
【００１６】
そして、ケーブル受け２はフレーム２０に固定されており、ケーブル１０を４本同時に並列に保持できる横幅Ｗを持つ凹部２Ａを有している。また、凹部２Ａの長さＬは横幅Ｗよりも短くなっている。従って、たとえフレーム２０が曲がっていても、ケーブル受け２を簡単に溶接して固定できる。
【００１７】
また、ケーブル受け２の両先端部には、外向きの傾斜面２Ｂと外向きの爪２Ｃが形成されている。一方、キャップ３は弾性を有する樹脂製であり、その両側面部に爪２Ｃがはまり込む開口３Ａが設けられている。従って、図１のように、４本のケーブル１０をケーブル受け２の凹部２Ａに入れ、キャップ３を上から押し付けてケーブル受け２にはめ込むだけで、ケーブル１０の固定が完了する。この際、ケーブル受け２の爪２Ｃがキャップ３の開口３Ａにしっかりとはまり込み、キャップ３の抜け方向及びフレーム２０の前後方向に対して確実に固定される。なお、ケーブル１０は、中心部のワイヤーと、ワイヤーが円滑に動くようにするためのライナーと、最外層のカバーとで構成されている。
【００１８】
図２は、第１実施例の自転車用フレームに使用したケーブルホルダーにおけるケーブル受け２及びキャップ３の詳細図である。図２（Ａ）に示すように、ケーブル受け２の底面は、フレーム２０の曲面に合わせた円弧状になっており、両側面の先端部に線対称の傾斜面２Ｂと外向きの爪２Ｃが形成されている。従って、底面と両側面とで囲まれた部分がケーブル１０を保持する凹部２Ａとなる。
【００１９】
一方、図２（Ｂ）に示すように、キャップ３には爪２Ｃがはまり込む開口３Ａが設けられているだけでなく、キャップ３の中央部が両側面部よりも凹んだ形状になっている。従って、キャップ３の弾性が増しており、図２（Ｃ）に示すキャップの取り付け後において、外からケーブル受け２を内側に締め付ける力が作用し、キャップ３の不用意な外れが確実に防止できるようになっている。
【００２０】
図３は、第１実施例のケーブルホルダー付き自転車用フレームを使用した自転車を示す側面図である。図３に示すように、フレーム２０にはホルダー１が３個備え付けられており、フレーム２０に沿ってケーブル１０が配置できるようになっている。
【００２１】
図４は、本発明の自転車用ケーブルホルダーを用いた自転車用フレームの第２実施例を示す部分斜視図である。即ち、図４に示す第２実施例のケーブルホルダー付き自転車用フレームは、第１実施例に対し、ケーブル受け２の凹部２Ａの底面として、フレーム２０の表面を利用し、両側面だけをフレーム２０に溶接してケーブル受け２を構成したものである。第２実施例では、ケーブル受け２が正確な寸法の凹部２Ａを持つように形成することが難しくなるが、第１実施例よりもフレーム２０に近い位置にケーブル１０を配置できる利点がある。
【００２２】
【発明の効果】
本発明の自転車用ケーブルホルダーは、ホルダーが、複数のケーブルを保持できる横幅と横幅以下の長さの凹部を持つケーブル受けと、ケーブル受けに対して着脱自在のキャップとからなるので、凹部の内側に複数のケーブルを同時に挿入し、キャップを被せるだけで複数のケーブルの固定が簡単にできる。
【００２３】
また、本発明の自転車用フレームは、このようなホルダーをフレームに複数個備えたものであるので、たとえフレームを構成するパイプが曲がっている場合であっても、ホルダーを取り付け、ケーブルをフレーム沿って配置することが簡単にできる。
【図面の簡単な説明】
【図１】図１は、本発明の自転車用ケーブルホルダーを用いた自転車用フレームの第１実施例を示す部分斜視図である。
【図２】図２は、図１に示す第１実施例の自転車用フレームに使用したケーブルホルダーにおけるケーブル受け及びキャップを示す詳細図である。
【図３】図３は、図１に示す第１実施例のケーブルホルダー付き自転車用フレームを使用した自転車を示す側面図である。
【図４】図４は、本発明の自転車用ケーブルホルダーを用いた自転車用フレームの第２実施例を示す部分斜視図である。
【図５】図５は、従来のケーブルホルダーを示す正面図である。
【符号の説明】
１‥ホルダー
２‥ケーブル受け
２Ａ‥凹部
２Ｂ‥傾斜面
２Ｃ‥爪
Ｗ‥横幅
Ｌ‥長さ
３‥キャップ
３Ａ‥開口
１０‥ケーブル
２０‥フレーム
３０‥通し小物
【図１】
2004017785.tif 000003
【図２】
2004017785.tif 000004
【図３】
2004017785.tif 000005
【図４】
2004017785.tif 000006
【図５】
2004017785.tif 000007